(57)【特許請求の範囲】
【請求項１】
前部にＬＥＤ発光部を有するとともに後部に放熱フィンを有する灯具と、
被取付部に取り付けられるとともに前記灯具を回動軸回りに回動可能に支持する枠体と、を有し、
前記放熱フィンの前記回動軸に対して一方の側が、前記回動軸の長手方向中央を中心としこの中心と前記枠体との間隔よりも小さな半径を有する仮想球体の内側にあり、
前記放熱フィンの前記回動軸に対して他方の側の下部が前記枠体の内側に位置するとともに上部が前記枠体の外側に張り出した照明器具。
【請求項２】
請求項１に記載の照明器具において、
前記灯具を所定角度傾けたときに、前記放熱フィンにおける前記他方の側の上部の外側端部が、前記枠体の投影領域内にあるとともに鉛直または鉛直よりも内側となるように傾斜が設けられている照明器具。
【請求項３】
請求項１または請求項２に記載の照明器具において、
前記灯具を傾けたときにこの灯具を下方から支持しながら弾性変形する支持部材を前記枠体に設けた照明器具。
【請求項４】
請求項１または請求項２に記載の照明器具において、
前記枠体の中心軸回りに回転可能な回転体を設け、
前記回転体に前記灯具を前記回動軸により回動可能に取り付けた照明器具。
【請求項５】
請求項４に記載の照明器具において、
前記灯具を傾けたときにこの灯具を下方から支持しながら弾性変形する支持部材を前記回転体に設けた照明器具。
【発明の詳細な説明】
【技術分野】
【０００１】
本発明は、取付部位に形成された埋込穴に埋設されて使用され、任意の方向へ光を照射することができる照明器具に関するものである。
【背景技術】
【０００２】
従来より、取付面に埋め込まれて使用され、照射方向が調整可能な照明器具が提案されている（例えば特許文献１参照）。
図１０に示すように、特許文献１に記載の照明器具１００は、例えば天井等に埋め込まれて使用されるものであり、筒型の本体１０１を有しており、この本体１０１の下端面には、縁環状の鍔部材１０２が本体１０１の内方および外方に突出して取付けられている。
また、本体１０１内部には灯具本体１０３が収容されており、灯具本体１０３の下端周縁部が鍔部材１０２の上に載置されて、水平方向へ旋回自在となっている。灯具本体１０３の内部には、ランプ１０５及び反射板１０６を有する灯具１０４が収容されており、灯具１０４は、灯具本体１０３の対向する２点において取付ねじ１０７により回動自在に支持されている。
【０００３】
従って、灯具本体１０３を鍔部材１０２に対して水平方向へ旋回させるとともに、取付ねじ１０７を中心として灯具１０４を灯具本体１０３内部で上下方向へ回動させることにより、照射方向が調整自在となっている。
なお、図１０において二点鎖線で示す灯具１０４の位置は、実線で示す灯具１０４を水平方向へ９０度旋回させるとともに、取付ねじ１０７を中心として上下方向に回動させた状態を示す。
【先行技術文献】
【特許文献】
【０００４】
【特許文献１】実開昭６３−１０１４１１号公報（第１図）
【発明の概要】
【発明が解決しようとする課題】
【０００５】
ところで、近年の照明器具においては、光源としてＬＥＤを用いる場合が増加している。発熱量が大きなＬＥＤを用いる場合、ＬＥＤの発熱対策として、放熱フィンを灯具に設けるのが一般的である。
しかしながら、高出力のＬＥＤを用いる場合には、灯具に設ける放熱フィンがかなり大型になるため、放熱フィンを上下方向に拡大すると照明器具が大型化し、埋込高さが大きくなる。そこで、放熱フィンを幅方向に拡大することが行われているが、灯具を上下に回動させた際に放熱フィンが灯具に当接して十分な回動ができず、照射方向の調整範囲が狭くなるという問題がある。このため、放熱フィンの灯具に当接する部分のみを低くしたり、回動方向と反対側に放熱フィンを突出させることにより、放熱面積の確保をしつつ回動可能範囲を確保することが行われている。
【０００６】
この場合には、放熱フィンを搭載した灯具の重心が回動軸に対して偏心しており、回動角度によって一方の側へ灯具が付勢されるため、回動軸の摩擦力を大きくすることにより、首垂れを防止して所望の角度で停止できるようにしている。
このため、灯具を回動させるのに必要な操作力が大きくなり、照射方向の角度調整がやりづらいという問題があった。
【０００７】
本発明は、従来の問題を解決するためになされたもので、放熱フィンの面積を確保しつつ、照射方向の角度調整を容易にできる照明器具を提供することを目的とする。
【課題を解決するための手段】
【０００８】
本発明の照明器具は、前部にＬＥＤ発光部を有するとともに後部に放熱フィンを有する灯具と、被取付部に取り付けられるとともに灯具を回動軸回りに回動可能に支持する枠体と、を有し、放熱フィンの回動軸に対して一方の側が、回動軸の長手方向中央を中心としこの中心と枠体との間隔よりも小さな半径を有する仮想球体の内側にあり、放熱フィンの回動軸に対して他方の側の下部が枠体の内側に位置するとともに上部が枠体の外側に張り出したものである。
【０００９】
また、本発明の照明器具は、灯具を所定角度傾けたときに、放熱フィンにおける他方の側の上部の外側端部が、枠体の投影領域内にあるとともに鉛直または鉛直よりも内側となるように傾斜が設けられたものである。
【００１０】
また、本発明の照明器具は、灯具を傾けたときにこの灯具を下方から支持しながら弾性変形する支持部材を枠体に設けたものである。
【００１１】
また、本発明の照明器具は、前記枠体の中心軸回りに回転可能な回転体を設け、前記回転体に前記灯具を前記回動軸により回動可能に取り付けたものである。
【００１２】
さらに、本発明の照明器具は、前記灯具を傾けたときにこの灯具を下方から支持しながら弾性変形する支持部材を前記回転体に設けたものである。
【発明の効果】
【００１３】
本発明は、放熱フィンの回動軸に対して一方の側は、回動軸の長手方向中央を中心としこの中心と枠体との間隔よりも小さな半径を有する仮想球体の内側にあるので、灯具を回動させても放熱フィンは枠体に当接しない。また、放熱フィンの回動軸に対して他方の側の下部は枠体の内側に位置するとともに上部は枠体の外側に張り出しているので、放熱フィンは、枠体に当接することなく必要な表面積を確保できるとともに偏心量を小さくでき、回動軸における摩擦力を小さくできる。これにより、放熱フィンの面積を確保しつつ、容易に照射方向の角度調整できるという効果を有する照明器具を提供できる。
【図面の簡単な説明】
【００１４】
【図１】（Ａ）は本発明に係る第１実施形態の照明器具で下方に照射する状態を示す側面図であり、（Ｂ）は同じく灯具を傾けた状態を示す側面図
【図２】（Ａ）は真下に照射する状態を上方から見た斜視図であり、（Ｂ）は同じく下方から見た斜視図
【図３】（Ａ）は灯具を傾けた状態を上方から見た斜視図であり、（Ｂ）は同じく下方から見た斜視図
【図４】（Ａ）は真下に照射する状態の側面図であり、（Ｂ）は所定角度回動した状態の側面図であり、（Ｃ）は最大角度回動した状態の側面図
【図５】本発明に係る第２実施形態の照明器具を回動軸を含む鉛直面で切断した断面図
【図６】図５中ＶＩ部分の拡大図
【図７】回転体の一部を示す下方から見た斜視図
【図８】（Ａ）は真下を照明する灯具の状態を上方から見た斜視図であり、（Ｂ）は斜め方向を照明する灯具の状態を上方から見た斜視図
【図９】支持部材の取付け部の拡大断面図
【図１０】従来の照明器具の一部断面の側面図
【発明を実施するための形態】
【００１５】
（第１実施形態）
以下、本発明に係る第１実施形態の照明器具について、図面を用いて説明する。
図１に示すように、本発明に係る第１実施形態の照明器具１０は、被取付部である天井１１に形成された埋込穴１２に埋設して使用することができる。
照明器具１０は、埋込穴１２に取り付けられる枠体２０と、この枠体２０に対して回動可能に設けられた灯具３０とを有する。
【００１６】
図２および図３に示すように、枠体２０は、円筒形状の枠体本体２１を有しており、枠体本体２１の下端面には天井１１の下面に当接して露出する円環状の鍔部材２２を有するとともに上端面には円環状の上板２４を有する。上板２４の上には、灯具３０を回動させる際に下方から支持する支持部材２７が取り付けられている。支持部材２７は、灯具３０を傾けたときに、灯具３０を下方から支持しながら弾性変形する。
【００１７】
また、枠体本体２１の下端部付近から、板ばね状の取付ばね２３が放射状に等間隔で複数個（ここでは３個）設けられており、先端部は下方へ折り曲げられて係止部２３１が形成されている。取付ばね２３の内側端部は上方へ曲げ上げられた支持部２３２を有しており、支持部２３２は枠体本体２１の外側面に取り付けられる。取付ばね２３は、常時、図１中矢印Ａ方向に付勢されている。
従って、取付ばね２３の下面と鍔部材２２の上面との間に天井１１を挟むことにより、枠体２０を天井１１に固定する。
【００１８】
灯具３０は、照射方向前部（すなわち、下部）にＬＥＤ発光部３２を収容する灯具本体３１を有し、照射方向後部（すなわち、上部）に放熱フィン３３を有する。すなわち、灯具本体３１の上側に放熱フィン３３が一体的に取り付けられている。
【００１９】
灯具本体３１は下方が開口した円筒形状をしており、内部にＬＥＤ発光部３２を収容する。ＬＥＤ発光部３２は、灯具本体３１下面の開口から下方へ露出しており、照明光を照射する。灯具本体３１は、回動軸２５を介して枠体本体２１の内部に回動可能に支持されている。
従って、回動軸２５を中心として灯具３０を回動させることにより、照射方向を所望の方向へ調整できる。
【００２０】
図１を併せて参照するに、放熱フィン３３は多数の薄板状部材を有する。放熱フィン３３は、回動軸２５に対して一方の側（図１において右側）には、一対の回動軸２５の長手方向（図１において紙面直交方向）中央を中心としこの中心と枠体２０との間隔よりも小さな半径を有する仮想球体２６（図１参照）の内部に含まれる円板状フィン３４を有する。このため、図１（Ｂ）に示すように、回動軸２５を中心として灯具３０を回動させても、円板状フィン３４は枠体２０に常に干渉しない。
また、円板状フィン３４の回動軸２５側には、上方に延びる鉛直板３４１が連続して設けられている。
【００２１】
一方、回動軸２５に対して他方の側（図１において左側）には、灯具本体３１の上方において灯具本体３１よりも外側（図１（Ａ）において左側）へ突出する鉛直フィン３５を有する。鉛直フィン３５の外側端３５１は、上方に向かって外側へ傾斜している。
なお、鉛直フィン３５の下部は、張り出すことなく枠体２０の内側において灯具本体３１の上面に取り付けられる。
【００２２】
次に、灯具３０の回動動作について説明する。
図４（Ａ）に示すように、真下に照射する状態では、放熱フィン３３の鉛直フィン３５は、その外側端３５１が枠体２０の投影領域Ｒから外側へ突出している。一方、円板状フィン３４（図１（Ａ）参照）は枠体２０の内部に収容され、円板状フィン３４に連続する鉛直板３４１は投影領域Ｒの内部に収容される。
【００２３】
図４（Ｂ）に示すように、灯具３０を回動軸２５回りに所定角度θ傾けると、円板状フィン３４および鉛直板３４１は投影領域Ｒ内部に含まれる。また、鉛直フィン３５の外側端３５１には傾斜が設けられており、鉛直フィン３５も全て投影領域Ｒ内部に含まれる。この状態で、傾いてきた鉛直板３４１が支持部材２７に接触するように、支持部材２７の初期状態（無載荷状態）を設定することができる。
また、灯具３０を水平方向へ旋回させたい場合には、照射方向が所定角度θだけ傾いているこの状態で枠体２０を埋込穴１２において旋回させることにより、照射方向を容易に把握することができる。
【００２４】
さらに、灯具３０を回動させると、図４（Ｃ）に示すように、鉛直板３４１は投影領域Ｒから外側へ突出する。このとき、支持部材２７は、灯具３０の回動に伴って弾性変形し、鉛直板３４１を弾性力により矢印Ａ方向へ付勢しながら変形する。
従って、灯具３０の偏心により矢印Ｂ方向の回転力が大きくなるにつれて、支持部材２７の矢印Ａ方向への弾性力が大きくなるので、回動軸２５における摩擦力がある程度あれば、灯具３０を任意の角度で固定できる。
【００２５】
以上、説明した本発明に係る第１実施形態の照明器具１０によれば、前部にＬＥＤ発光部３２を有するとともに後部に放熱フィン３３を有する灯具３０は、被取付部である天井１１の埋込穴１２に取り付けられる枠体２０に回動可能に支持されており、灯具３０を回動軸２５回りに回動させることにより、照射方向の角度調整を行う。
このとき、放熱フィン３３の回動軸２５に対して一方の側に設けられている円板状フィン３４は、回動軸２５の長手方向中央を中心としこの中心と枠体２０との間隔よりも小さな半径を有する仮想球体２６の内側にあるので、灯具３０を回動させても円板状フィン３４は枠体２０と常に干渉しない。
また、放熱フィン３３の回動軸２５に対して他方の側の下部は枠体２０の内側に位置するとともに上部の鉛直フィン３５は枠体２０の外側に張り出しているので、放熱フィン３３は、枠体２０に当接することなく必要な表面積を確保できるとともに偏心量を小さくできる。
【００２６】
また、放熱フィン３３における他方の側の上部に設けられている鉛直板３４１の外側端部が、灯具３０を所定角度θ傾けたときに、枠体２０の投影領域Ｒ内にあるとともに鉛直または鉛直よりも内側となるように傾斜が設けられているので、照明器具１０を容易に埋込穴１２に取り付けることができる。
また、放熱フィン３３を他の部材等に干渉させることなく枠体２０を旋回させて灯具３０を旋回させることができる。また、灯具３０の偏心量を小さくできるので、回動軸２５における摩擦力を小さくでき、操作性が向上する。
【００２７】
さらに、灯具３０を傾けたときにこの灯具３０を下方から支持しながら弾性変形する支持部材２７を枠体２０に設けた。このため、灯具３０の回動に伴って重心位置の偏心が大きくなり回転力が大きくなるにつれて、灯具３０を下側から支持する支持部材２７の弾性力が大きくなるので、傾いた灯具３０を支持するのに必要な回動軸２５における摩擦力を小さくでき、照射方向の角度調整の操作性が向上する。
【００２８】
（第２実施形態）
次に、本発明にかかる第２実施形態の照明器具１０Ｂについて説明する。
なお、前述した第１実施形態にかかる照明器具１０と共通する部位には同じ符号を付して、重複する説明を省略することとする。
【００２９】
図５に示すように、第２実施形態の照明器具１０Ｂでは、枠体２０の内部に、枠体２０の中心軸ＣＬ回りに回転可能な回転体４０を設け、この回転体４０に灯具３０を回動軸２５により回動可能に取り付けた。
図６および図７に示すように、回転体４０は、リング状の回転板４１と、回転板４１の内縁４１１から鉛直下方へ設けられた支持板４２を有する。
回転板４１は、枠体２０の上板２４の下方に、回転機構（図示省略）を介して、枠体２０の中心軸ＣＬ回りに回転可能に支持される。
支持板４２は所定の幅を有する板状部材であり、支持板４２の下部には、回動軸２５を取り付けるための貫通孔４２１が設けられている。
【００３０】
図８および図９に示すように、灯具３０を傾けたときにこの灯具３０を下方から支持しながら弾性変形する支持部材２７Ｂを回転体４０に設けた。回転体４０の回転板４１は、枠体２０の上板２４の下方に一定の間隔を空けて設けられているので、支持部材２７Ｂの取付部２７１を回転板４１の上面４１１に取付け、上板２４の中心側の開口を通って支持部２７２を外向き斜め上方へ配設する。
【００３１】
以上、説明した本発明に係る第２実施形態の照明器具１０Ｂによれば、枠体２０に対して枠体２０の中心軸ＣＬ回りに回転可能な回転体４０を設け、この回転体４０に灯具３０を回動可能に取り付けた。
このため、灯具３０は水平方向の回転および上下方向の回動が可能となり、任意の方向に容易に照射できる。
【００３２】
さらに、支持部材２７Ｂを回転体４０に設けて、回転体４０と一体で回転可能としたので、灯具３０を傾けたときに、常に、最適な位置で灯具３０を支持できる。
【００３３】
なお、本発明の照明器具は、前述した各実施形態に限定されるものでなく、適宜な変形，改良等が可能である。
【符号の説明】
【００３４】
１０、１０Ｂ  照明器具
１１  天井（被取付部）
２０  枠体
２５  回動軸
２６  仮想球体
２７、２７Ｂ  支持部材
３０  灯具
３２  ＬＥＤ発光部
３３  放熱フィン
３５  鉛直フィン（他方の側の上部）
４０  回転体
ＣＬ  中心軸
θ  所定角度
Ｒ  投影領域
【図１】
0005673313.tif 000002
【図２】
0005673313.tif 000003
【図３】
0005673313.tif 000004
【図４】
0005673313.tif 000005
【図５】
0005673313.tif 000006
【図６】
0005673313.tif 000007
【図７】
0005673313.tif 000008
【図８】
0005673313.tif 000009
【図９】
0005673313.tif 000010
【図１０】
0005673313.tif 000011